(57)【要約】  本発明の実施形態はメッセージのプッシュ方法、装置及び端末ディバイスに関する。前記方法は、端末に応用され、各未読プッシュメッセージを取得することと、前記各未読プッシュメッセージに基づいて、ターゲットオーディオデータを生成することと、前記ターゲットオーディオデータを出力することと、を含む。【選択図】図１Ａ
2018533088.tif 000002
【特許請求の範囲】
【請求項１】
メッセージのプッシュ方法であって、移動端末に応用され、
各未読プッシュメッセージを取得することと、
前記各未読プッシュメッセージに基づいて、ターゲットオーディオデータを生成することと、
前記ターゲットオーディオデータを出力することと、を含む、前記メッセージのプッシュ方法。
【請求項２】
前記ターゲットオーディオデータを出力することは、
前記ターゲットオーディオデータを再生する、又は、
前記ターゲットオーディオデータをスマートディバイスに送信することで、前記スマートディバイスが前記ターゲットオーディオデータを再生させる
請求項１に記載のメッセージのプッシュ方法。
【請求項３】
前記各未読プッシュメッセージに基づいて、ターゲットオーディオデータを生成することは、
前記各未読プッシュメッセージにおいて、所定のプッシュソースとマッチングしているターゲット未読プッシュメッセージを取得することと、
前記ターゲット未読プッシュメッセージに基づいて、前記ターゲットオーディオデータを生成することと、を含む
請求項１に記載のメッセージのプッシュ方法。
【請求項４】
前記各未読プッシュメッセージを取得することは、
前記各未読プッシュメッセージにおいて、プッシュの時間に基づいて所定数のターゲット未読プッシュメッセージを取得することを含む
請求項１に記載のメッセージのプッシュ方法。
【請求項５】
前記ターゲットオーディオデータは、メッセージの内容、プッシュの時間、プッシュソースのうちの１つ以上を含む
請求項１〜４のいずれか１項に記載のメッセージのプッシュ方法。
【請求項６】
前記ターゲットオーディオデータは、各プッシュソース及びそれぞれ対応しているプッシュメッセージの数を含み、
前記各未読プッシュメッセージに基づいて、ターゲットオーディオデータを生成することは、
前記各未読プッシュメッセージが対応しているプッシュソースをそれぞれ取得することと、
各プッシュソースのプッシュメッセージの数をそれぞれ統計することと、
前記各プッシュソースのプッシュメッセージの数に基づいて、前記ターゲットオーディオデータを生成することと、を含む
請求項１に記載のメッセージのプッシュ方法。
【請求項７】
メッセージのプッシュ装置であって、移動端末に応用され、
各未読プッシュメッセージを取得するように構成される取得モジュールと、
前記各未読プッシュメッセージに基づいて、ターゲットオーディオデータを生成するように構成される生成モジュールと、
前記ターゲットオーディオデータを出力するように構成させる出力モジュールと、を備える、前記メッセージのプッシュ装置。
【請求項８】
前記出力モジュールは、再生サブモジュールと、送信サブモジュールを備え、
前記再生サブモジュールは、前記ターゲットオーディオデータを再生するように構成され、
前記送信サブモジュールは、前記ターゲットオーディオデータをスマートディバイスに送信することで、前記スマートディバイスが前記ターゲットオーディオデータを再生させるように構成される
請求項７に記載のメッセージのプッシュ装置。
【請求項９】
前記生成モジュールは、第一取得サブモジュールと、第一生成サブモジュールを備え、
前記第一取得サブモジュールは、前記各未読プッシュメッセージにおいて、所定のプッシュソースとマッチングしているターゲット未読プッシュメッセージを取得するように構成され、
前記第一生成サブモジュールは、前記ターゲット未読プッシュメッセージに基づいて、前記ターゲットオーディオデータを生成するように構成される
請求項７に記載のメッセージのプッシュ装置。
【請求項１０】
前記取得モジュールは、第二取得サブモジュールを備え、
前記第二取得サブモジュールは、前記各未読プッシュメッセージにおいて、プッシュの時間に基づいて所定数のターゲット未読プッシュメッセージを取得するように構成される
請求項７に記載のメッセージのプッシュ装置。
【請求項１１】
前記生成モジュールが生成した前記ターゲットオーディオデータはメッセージの内容、プッシュの時間、プッシュソースのうちの１つ以上を含む
請求項７〜１０のいずれか１項に記載のメッセージのプッシュ装置。
【請求項１２】
前記生成モジュールが生成した前記ターゲットオーディオデータは、各プッシュソース及びそれぞれ対応しているプッシュメッセージの数を含み、
前記生成モジュールは、第三取得サブモジュールと、統計サブモジュールと、第二生成サブモジュールと、を備え、
前記第三取得サブモジュールは、前記各未読プッシュメッセージが対応しているプッシュソースをそれぞれ取得するように構成され、
前記統計サブモジュールは、各プッシュソースのプッシュメッセージの数をそれぞれ統計するように構成され、
前記第二生成サブモジュールは、前記各プッシュソースのプッシュメッセージの数に基づいて、前記ターゲットオーディオデータを生成するように構成される
請求項７に記載のメッセージのプッシュ装置。
【請求項１３】
端末ディバイスであって、
プロセッサーと、
プロセッサーが実行可能な命令を格納するように構成される記憶装置と、を備え、
前記プロセッサーは、
各未読プッシュメッセージを取得し、
前記各未読プッシュメッセージに基づいて、ターゲットオーディオデータを生成し、
前記ターゲットオーディオデータを出力するように構成される、前記端末ディバイス。
【発明の詳細な説明】
【技術分野】
【０００１】
［関連出願の相互引用］
本願は、出願番号が２０１６１０７７２１６１．１であり、出願日が２０１６年８月３０日である中国特許に基づいて出願し、当該中国特許出願の優先権を出張し、当該中国特許のすべての内容を本願に引用して参考する。
【０００２】
本発明の実施形態はコンピュータ技術分野に関し、特にメッセージのプッシュ方法、装置及び端末ディバイスに関する。
【背景技術】
【０００３】
現在、スマートフォンの普及に伴い、ショートメッセージ、メール、ソーシャル情報、プッシュ通知などの情報がユーザの携帯電話に連続的に送信される。ユーザは、これらの情報をタイムリーに読めなく、又は、これらの情報を受信した後一時的に読まない可能性がある。ユーザが家に戻った後、これらの情報を読みたいとき、一般的に、ショートメッセージ、ソーシャルソフトウェア、メールを１つずつ開いて読んで、手間を掛ける。
【発明の概要】
【発明が解決しようとする課題】
【０００４】
従って、未読情報を迅速、タイムリーに読むために、新しい方法及び装置が必要である。
【０００５】
上記の背景技術に公開された上記の情報は本開示の実施形態に対して理解されるために用いられ、従って、当業者が既知した従来技術を構成しない情報を含むことが可能である。
【課題を解決するための手段】
【０００６】
従来技術の問題を解決するために、本開示の実施形態はメッセージのプッシュ方法、装置及び端末ディバイスを提供し、複数のプッシュソースの未読メッセージを容易、迅速に再生することができる。
【０００７】
本開示の実施形態のほかの特性と利点は下記の説明によって明らかになって、又はその一部は本開示の実施形態を実施することによって取得する。
【０００８】
本開示の実施形態における第一形態によって、メッセージのプッシュ方法を提供し、移動端末に応用され、
各未読プッシュメッセージを取得することと、
前記各未読プッシュメッセージに基づいて、ターゲットオーディオデータを生成することと、
前記ターゲットオーディオデータを出力することと、を含む。
【０００９】
１つの実施形態において、前記ターゲットオーディオデータを出力することは、以下を含み、
前記ターゲットオーディオデータを再生する、又は、
前記ターゲットオーディオデータをスマートディバイスに送信することで、前記スマートディバイスが前記ターゲットオーディオデータを再生させる。
【００１０】
１つの実施形態において、前記各未読プッシュメッセージに基づいて、ターゲットオーディオデータを生成することは、
前記各未読プッシュメッセージにおいて、所定のプッシュソースとマッチングしているターゲット未読プッシュメッセージを取得することと、
前記ターゲット未読プッシュメッセージに基づいて、前記ターゲットオーディオデータを生成することと、を含む。
【００１１】
１つの実施形態において、前記各未読プッシュメッセージを取得することは、
前記各未読のプッシュメッセージにおいて、プッシュの時間に基づいて所定数のターゲット未読プッシュメッセージを取得することを含む。
【００１２】
１つの実施形態において、前記ターゲットオーディオデータは、メッセージの内容、プッシュの時間、プッシュソースのうちの１つ以上を含む。
【００１３】
１つの実施形態において、前記ターゲットオーディオデータは、各プッシュソース及びそれぞれ対応しているプッシュメッセージの数を含み、
前記各未読プッシュメッセージに基づいて、ターゲットオーディオデータを生成することは、
前記各未読プッシュメッセージが対応しているプッシュソースをそれぞれ取得することと、
各プッシュソースのプッシュメッセージの数をそれぞれ統計することと、
前記各プッシュソースのプッシュメッセージの数に基づいて、前記ターゲットオーディオデータを生成することと、を含む。
【００１４】
本願の実施形態における第二実施形態によって、メッセージのプッシュ装置を提供し、移動端末に用いられ、
各未読プッシュメッセージを取得するように構成される取得モジュールと、
前記各未読プッシュメッセージに基づいて、ターゲットオーディオデータを生成するように構成される生成モジュールと、
前記ターゲットオーディオデータを出力するように構成させる出力モジュールと、を備える。
【００１５】
１つの実施形態において、前記出力モジュールは、再生サブモジュールと、送信サブモジュールを備え、
前記再生サブモジュールは、前記ターゲットオーディオデータを再生するように構成され、
前記送信サブモジュールは、前記ターゲットオーディオデータをスマートディバイスに送信することで、前記スマートディバイスが前記ターゲットオーディオデータを再生させるように構成される。
【００１６】
１つの実施形態において、前記生成モジュールは、第一取得サブモジュールと、第一生成サブモジュールを備え、
前記第一取得サブモジュールは、前記各未読プッシュメッセージにおいて、所定のプッシュソースとマッチングしているターゲット未読プッシュメッセージを取得するように構成され、
前記第一生成サブモジュールは、前記ターゲット未読プッシュメッセージに基づいて、前記ターゲットオーディオデータを生成するように構成される。
【００１７】
１つの実施形態において、前記取得モジュールは、第二取得サブモジュールを備え、
前記第二取得サブモジュールは、前記各未読プッシュメッセージにおいて、プッシュの時間に基づいて所定数のターゲット未読プッシュメッセージを取得するように構成される。
【００１８】
１つの実施形態において、前記生成モジュールが生成した前記ターゲットオーディオデータはメッセージの内容、プッシュの時間、プッシュソースのうちの１つ以上を含む。
【００１９】
１つの実施形態において、前記生成モジュールが生成した前記ターゲットオーディオデータは、各プッシュソース及びそれぞれ対応しているプッシュメッセージの数を含む。
【００２０】
前記生成モジュールは、第三取得サブモジュールと、統計サブモジュールと、第二生成サブモジュールと、を備え、
前記第三取得サブモジュールは、前記各未読プッシュメッセージが対応しているプッシュソースをそれぞれ取得するように構成され、
前記統計サブモジュールは、各プッシュソースのプッシュメッセージの数をそれぞれ統計するように構成され、
前記第二生成サブモジュールは、前記各プッシュソースのプッシュメッセージの数に基づいて、前記ターゲットオーディオデータを生成するように構成される。
【００２１】
本願の実施形態における第三実施形態によって、端末を提供し、
プロセッサーと、
プロセッサーが実行可能な命令を格納するように構成される記憶装置と、を備え、
前記プロセッサーは、
各未読プッシュメッセージを取得し、
前記各未読プッシュメッセージに基づいて、ターゲットオーディオデータを生成し、
前記ターゲットオーディオデータを出力するように構成される。
【発明の効果】
【００２２】
本発明の実施形態における技術案は、以下の効果を実現することができる。
【００２３】
本発明の実施形態のメッセージのプッシュ方法、装置及び端末ディバイスは、ユーザが予め設定した再生方式によって複数の異なるプッシュソースからの未読メッセージを取得し、全ての未読メッセージを一括して再生することができ、ユーザが各ソフトウェアをそれぞれ開いて未読メッセージを読むことが必要なく、容易、迅速に読み、効率がより高い。
【００２４】
上記一般的な説明及び下記の詳しい説明はただ例示的なものであり、本開示の実施形態を限定するわけではない。
【図面の簡単な説明】
【００２５】
【図１Ａ】一つの例示的な実施形態に基づいて示したメッセージのプッシュ方法のフローチャートである。
【図１Ｂ】一つの例示的な実施形態に基づいて示したメッセージのプッシュ方法システムの概念図である。
【図２】もう一つの例示的な実施形態に基づいて示したメッセージのプッシュ方法のフローチャートである。
【図３】ほかの一つの例示的な実施形態に基づいて示したメッセージのプッシュ方法のフローチャートである。
【図４】また一つの例示的な実施形態に基づいて示したメッセージのプッシュ方法のフローチャートである。
【図５Ａ】一つの例示的な実施形態に基づいて示したメッセージのプッシュ装置の概念図である。
【図５Ｂ】一つの例示的な実施形態に基づいて示したメッセージのプッシュシステムの概念図である。
【図５Ｃ】一つの例示的な実施形態に基づいて示したもう１つのメッセージのプッシュ装置の概念図である。
【図６】一つの例示的な実施形態に基づいて示した端末ディバイスの概念図である。
【発明を実施するための形態】
【００２６】
ここの図面が明細書に引用される且つ本明細書の一部とし、本開示に適合する実施形態を示し、且つ明細書と一緒に本願の実施形態の原理を説明するためである。
【００２７】
図面を参照して全面的に例示的な実施形態を説明する。しかしながら、例示的な実施形態は様々な形で実行され、且つここで説明する例に限定するわけではないとが理解される。逆に、提供したこれらの実施形態は本開示の実施形態がより全面的と完全的にされて、且つ例示的な実施形態の思想を全面的に当業者に伝える。図面はただ本開示の実施形態にかかる例示的な図面であり、必ず比例により描くことではない。図面における同じの番号は同一又は類似の部分を表すので、それらを重複に説明することを省略する。
【００２８】
また、説明した特徴、構造又は特性が任意の、適合の方式により１つ又は複数の実施形態を組み合わせることができる。下記の説明において、たくさんの詳細の説明を提供して本開示の実施形態が十分に理解できる。しかしながら、本開示の実施形態にかかる技術案を実践するために説明した特定な詳細部分の１つ又は複数を省略し、又は、ほかの方法、モジュール、装置、ステップなどを採用することが当業者は理解られる。ほかの場合、公知構造、方法、装置、実現、材料又は操作を詳しく示す又は説明しないことで、独創性に欠けて本開示の実施形態の各方面が不明確になることを避ける。
【００２９】
図面に示したブロック図は機能的な実体であり、必ず物理又は論理的上の独立な実体に対応することではない。ソフトウェアを採用して機能的な実体を実現してよく、又は、１つ又は複数のハードウェアモジュール又は集積回路にこれらの機能的な実体を実現してよく、又は、異なるネットワーク及び／又は処理装置及び／又はマイクロコントローラ装置においてこれらの機能的な実体を実現してよい。
【００３０】
図１Ａは一つの例示的な実施形態に基づいて示したメッセージのプッシュ方法のフローチャートである。図１Ｂは一つの例示的な実施形態に基づいて示したメッセージのプッシュ方法のシステムの概念図である。
【００３１】
図１Ａに示すように、メッセージのプッシュ方法であって、移動端末に応用され、当該移動端末は携帯電話、タブレット（ＰＡＤ）などを含むが、これらに限らない。該方法は以下のステップＳ１０２−Ｓ１０６を含む。
【００３２】
ステップＳ１０２において、各未読プッシュメッセージを取得する。
【００３３】
ここで、各情報ソースの許可を予め取得し、各情報ソースの未読メッセージを集めることができ、ユーザが未読メッセージを一括して再生するとき、各情報ソースの未読メッセージを検索する。
【００３４】
ステップＳ１０４において、各未読プッシュメッセージに基づいて、ターゲットオーディオデータを生成する。
【００３５】
ここで、集まった各未読プッシュメッセージに基づいて、ターゲットオーディオデータを生成する。
【００３６】
ステップＳ１０６において、ターゲットオーディオデータを出力する。
【００３７】
ここで、生成されたターゲットオーディオデータを出力して、ユーザがチェックさせる。ユーザはディスプレーを介して１つずつを読むことができ、音声放送の方式によって未読メッセージを聞くこともできる。
【００３８】
本実施形態において、ユーザが予め設定した再生方式によって複数の異なるプッシュソースからの未読メッセージを取得し、全ての未読メッセージを一括して再生することができ、ユーザが各ソフトウェアをそれぞれ開いて未読メッセージを読むことが必要なく、容易、迅速に読み、効率がより高い。
【００３９】
上記の未読プッシュメッセージはショートメッセージ、メール、ウイーチャット（ＷｅＣhat、インスタントメッセンジャーアプリ）又はプッシュ通知などを含むが、本願の実施形態はこれに限らない。
【００４０】
１つの例示的な実施形態により、ターゲットオーディオデータはメッセージの内容、プッシュの時間、プッシュソースのうちの１つ以上を含めてよい。例えば、ターゲットオーディオデータは「メッセージの内容」のみを含む場合、あるショートメッセージ又はウイーチャットの内容を音声で再生することが可能である。ターゲットオーディオデータは「プッシュの時間」と「プッシュソース」の組合せを含む場合、ウイーチャットで１１時に新しいメッセージが新着することを音声で再生することが可能である。ユーザはターゲットオーディオデータの種類を予め設定することができ、例えば、メッセージの内容、プッシュの時間、プッシュソースのうちの１つ以上である。本実施形態はユーザのために多種の再生の選択肢を提供し、ユーザがメッセージの内容を直接に聞きたくない場合、プッシュの時間とプッシュのソースだけを聞くことができる。
【００４１】
１つの例示的な実施形態により、ターゲットオーディオデータをスマートディバイスに送信することで、前記スマートディバイスが前記ターゲットオーディオデータを再生させることができる。無線ネットワークを介して上記のターゲットオーディオデータをスマートディバイスに送信して表示又は再生を行うことができる。例えば、図１Ｂに示すように、ユーザは携帯電話１００に集まったターゲットオーディオデータを無線ネットワークを介してスマートラジオ又はスマートスピーカー１０２に送信し、スマートラジオ又はスマートスピーカー１０２によって音声で再生し、または、スマートラジオ又はスマートスピーカー１０２がディスプレーを備え、ディスプレーに未読メッセージを表示する。
【００４２】
図２はもう一つの例示的な実施形態に基づいて示したメッセージのプッシュ方法のフローチャートである。
【００４３】
図２に示すように、メッセージのプッシュ方法であって、移動端末に応用され、当該移動端末は携帯電話、タブレット（ＰＡＤ）などを含むが、これらに限らない。該方法は以下のステップＳ２０２−Ｓ２０６を含む。
【００４４】
ステップＳ２０２において、各未読プッシュメッセージを取得する。
【００４５】
ここで、各情報ソースの許可を予め取得し、各情報ソースの未読メッセージを集めることができ、ユーザが未読メッセージを一括して再生するとき、各情報ソースの未読メッセージを検索する。
【００４６】
ステップＳ２０４において、各未読プッシュメッセージにおいて、所定のプッシュソースとマッチングしているターゲット未読プッシュメッセージを取得し、ターゲット未読プッシュメッセージに基づいて、前記ターゲットオーディオデータを生成する。
【００４７】
ここで、ユーザは、どのプッシュソースからの未読メッセージを取得するかを予め設定することができ、例えば、複数のアプリケーションにおいて、ウイーチャット又はＱＱ（チャットアプリケーション）の未読メッセージだけを取得する必要である場合、ウイーチャット又はＱＱの未読メッセージだけをプッシュすることを予め設定することができる。ユーザが予め設定したプッシュソースに基づいて、ターゲット未読プッシュメッセージを取得した後、プッシュ待ちのターゲットオーディオデータを生成する。
【００４８】
ステップＳ２０６において、ターゲットオーディオデータを出力する。
【００４９】
ここで、生成されたターゲットオーディオデータを出力して、ユーザがチェックさせる。ユーザはディスプレーを介して１つずつを読むことができ、音声放送の方式によって未読メッセージを聞くこともできる。
【００５０】
本実施形態において、ユーザはプッシュしようとするメッセージのソースを予め設定し、プッシュしようとするメッセージの内容を個性化して設定することができ、プッシュ必要がないメッセージを取り除いて、メッセージをプッシュする効率を更に向上し、便利的に使える。
【００５１】
図３はほかの一つの例示的な実施形態に基づいて示したメッセージのプッシュ方法のフローチャートである。
【００５２】
図３に示すように、メッセージのプッシュ方法であって、移動端末に応用され、当該移動端末は携帯電話、タブレット（ＰＡＤ）などを含むが、これらに限らない。該方法は以下のステップＳ３０２−Ｓ３０６を含む。
【００５３】
ステップＳ３０２において、各未読プッシュメッセージを取得する。
【００５４】
ここで、各情報ソースの許可を予め取得し、各情報ソースの未読メッセージを集めることができ、ユーザが未読メッセージを一括して再生するとき、各情報ソースの未読メッセージを検索する。
【００５５】
ステップＳ３０４において、各未読プッシュメッセージにおいて、プッシュの時間に基づいて所定数のターゲット未読プッシュメッセージを取得する。
【００５６】
ここで、ユーザはプッシュの時間に基づいて所定数のターゲット未読プッシュメッセージを取得することができ、例えば、ターゲット未読プッシュメッセージにおいて、ユーザがトップの１０つのメッセージだけを読みたい場合、プッシュの時間に基づいてトップの１０つのメッセージだけをプッシュすることに対して予め設定していい。ユーザが予め設定することにより、ターゲット未読プッシュメッセージを取得した後、トップの１０つのメッセージをプッシュ待ちのターゲットオーディオデータに生成する。
【００５７】
ステップＳ３０６において、ターゲットオーディオデータを出力する。
【００５８】
ここで、生成されたターゲットオーディオデータを出力して、ユーザがチェックさせる。ユーザはディスプレーを介して１つずつを読むことができ、音声放送の方式によって未読メッセージを聞くこともできる。
【００５９】
本実施形態において、ユーザはプッシュしようとするメッセージの数を予め設定し、個性化の設定を行うことができ、メッセージをプッシュする効率を更に向上し、便利的に使える。
【００６０】
図４は一つの例示的な実施形態に基づいて示したメッセージのプッシュ方法のフローチャートである。
【００６１】
図４に示すように、メッセージのプッシュ方法であって、移動端末に応用され、当該移動端末は携帯電話、タブレット（ＰＡＤ）などを含むが、これらに限らない。該方法は以下のステップＳ４０２−Ｓ４０６を含む。
【００６２】
ステップＳ４０２において、各未読プッシュメッセージを取得する。
【００６３】
ここで、各情報ソースの許可を予め取得し、各情報ソースの未読メッセージを集めることができ、ユーザが未読メッセージを一括して再生するとき、各情報ソースの未読メッセージを検索する。
【００６４】
ステップＳ４０４において、ターゲットオーディオデータは、各プッシュソース及びそれぞれ対応しているプッシュメッセージの数を含み、各未読プッシュメッセージに基づいて、ターゲットオーディオデータを生成する。
【００６５】
ここで、ユーザはプッシュソースが対応しているプッシュメッセージの数を設定することができ、例えば、ウイーチャットが１０つのメッセージをプッシュし、ＱＱが５つのメッセージをプッシュすることを設定する。ユーザが予め設定したことにより、各未読のプッシュメッセージが対応しているプッシュソースをそれぞれ取得し、各プッシュソースのプッシュメッセージの数をそれぞれ統計し、各プッシュソースのプッシュメッセージの数に基づいて、ターゲットオーディオデータを生成することができる。例えば、ウイーチャットからの１２つの未読メッセージ又はウェイボー（Ｗｅｉｂｏ、ミニブログサイト）からの３つの未読メッセージなどを音声により再生する。
【００６６】
ステップＳ４０６において、ターゲットオーディオデータを出力する。
【００６７】
ここで、生成されたターゲットオーディオデータを出力して、ユーザがチェックさせる。ユーザはディスプレーを介して１つずつを読むことができ、音声再生の方式によって未読メッセージを聞くこともできる。
【００６８】
本実施形態において、ユーザはプッシュしようとするメッセージの数を予め設定して、個性化の設定を行うことができ、メッセージをプッシュする効率を更に向上し、便利的に使える。
【００６９】
前述のメッセージのプッシュ方法にかかる実施形態に対応し、本実施形態はメッセージのプッシュ装置にかかる実施形態を更に提供する。
【００７０】
図５Ａは一つの例示的な実施形態に基づいて示したメッセージのプッシュ装置の概念図である。図５Ｂは一つの例示的な実施形態に基づいて示したメッセージのプッシュシステムの概念図である。図５Ｃは一つの例示的な実施形態に基づいて示したもう１つのメッセージのプッシュ装置の概念図である。
【００７１】
図５Ａに示すように、メッセージのプッシュ装置であって、移動端末に応用され、当該移動端末は携帯電話、タブレット（ＰＡＤ）などを含むが、これらに限らない。該装置は、取得モジュール５０２、生成モジュール５０４、出力モジュール５０６を備える。
【００７２】
取得モジュール５０２は、各未読プッシュメッセージを取得するように構成される。
【００７３】
ここで、各情報ソースの許可を予め取得し、取得モジュール５０２は各情報ソースの未読メッセージを集めることができ、ユーザが未読メッセージを一括して再生するとき、各情報ソースの未読メッセージを検索する。
【００７４】
生成モジュール５０４は、各未読プッシュメッセージに基づいて、ターゲットオーディオデータを生成するように構成される。
【００７５】
ここで、生成モジュール５０４は、集まった各未読プッシュメッセージに基づいて、ターゲットオーディオデータを生成する。
【００７６】
出力モジュール５０６は、ターゲットオーディオデータを出力するように構成される。
【００７７】
ここで、出力モジュール５０６はターゲットオーディオデータを出力して、ユーザがチェックさせる。ユーザはディスプレーを介して１つずつを読むことができ、音声再生の方式によって未読メッセージを聞くこともできる。
【００７８】
本実施形態において、許可を予め取得することによって複数の異なるプッシュソースからの未読メッセージを取得し、全ての未読メッセージを集めて再生することができ、ユーザが各ソフトウェアをそれぞれ開いて未読メッセージを読むことが必要なく、容易、迅速に読み、効率がより高い。
【００７９】
上記の未読プッシュメッセージはショートメッセージ、メール、ウイーチャット又はプッシュ通知などを含むが、本願の実施形態はこれに限らない。
【００８０】
一つの例示的な実施形態に基づいて、図５Ｃに示すように、出力モジュール５０６は、再生サブモジュール５０６１と、送信サブモジュール５０６２を備える。再生サブモジュール５０６１は、ターゲットオーディオデータを再生するように構成される。送信サブモジュール５０６２は、ターゲットオーディオデータをスマートディバイスに送信することで、スマートディバイスがターゲットオーディオデータを再生させるように構成される。ターゲットオーディオデータを再生するとき、再生サブモジュール５０６１によって再生されてよく、送信サブモジュール５０６２は無線ネットワークを介してターゲットオーディオデータをスマートディバイスに送信することで、スマートディバイスがターゲットオーディオデータを再生させてもよい。例えば、図５Ｂ、５Ｃに示すように、ユーザは携帯電話５００に集まったターゲットオーディオデータを送信サブモジュール５０６２によって無線ネットワークを介してスマートラジオ又はスマートスピーカー５１０に送信し、スマートラジオ又はスマートスピーカー５１０によって音声で再生し、またはスマートラジオ又はスマートスピーカー５１０がディスプレーを備え、ディスプレーに未読メッセージを表示する。
【００８１】
一つの例示的な実施形態に基づいて、図５Ｃに示すように、生成モジュール５０４は、第一取得サブモジュール５０４１、第一生成サブモジュール５０４２を備える。第一取得サブモジュール５０４１は、各未読プッシュメッセージにおいて、所定のプッシュソースとマッチングしているターゲット未読プッシュメッセージを取得するように構成される。第一生成サブモジュール５０４２は、ターゲット未読プッシュメッセージに基づいて、ターゲットオーディオデータを生成するように構成される。図５Ｃに示すように、各未読のプッシュメッセージにおいて、第一取得サブモジュール５０４１は所定のプッシュソースとマッチングしているターゲット未読プッシュメッセージを取得し、ターゲット未読プッシュメッセージに基づいて、第一生成サブモジュール５０４２はターゲットオーディオデータを生成する。ここで、ユーザは、どのプッシュソースからの未読メッセージを取得するかを予め設定することができ、例えば、各アプリケーションにおいて、ユーザはウイーチャット又はＱＱの未読メッセージだけを取得する場合、ウイーチャット又はＱＱの未読メッセージだけをプッシュすることを予め設定することができる。ユーザが予め設定したプッシュソースに基づいて、第一取得サブモジュール５０４１はターゲット未読プッシュメッセージを取得した後、第一生成サブモジュール５０４２はプッシュ待ちのターゲットオーディオデータを生成する。本実施形態において、ユーザはプッシュしようとするメッセージのソースを予め設定し、プッシュしようとするメッセージの内容を個性化して設定することができ、プッシュ必要がないメッセージを取り除いて、メッセージをプッシュする効率を更に向上し、便利的に使える。
【００８２】
一つの例示的な実施形態に基づいて、図５Ｃに示すように、取得モジュール５０２は、第二取得サブモジュール５０２１を備え、第二取得サブモジュール５０２１は、各未読プッシュメッセージにおいて、プッシュの時間に基づいて所定数のターゲット未読プッシュメッセージを取得するように構成される。図５Ｃに示すように、各未読プッシュメッセージにおいて、第二取得サブモジュール５０２１はプッシュの時間に基づいて所定数のターゲット未読プッシュメッセージを取得する。ここで、ユーザはプッシュの時間に基づいて所定数のターゲット未読プッシュメッセージを取得することができ、例えば、ターゲット未読プッシュメッセージにおいて、ユーザがトップの１０つのメッセージだけを読みたい場合、プッシュの時間に基づいてトップの１０つのメッセージだけをプッシュすることに対して予め設定していい。ユーザが予め設定することにより、ターゲット未読プッシュメッセージを取得した後、トップの１０つのメッセージをプッシュ待ちのターゲットオーディオデータに生成する。本実施形態において、ユーザはプッシュしようとするメッセージの数を予め設定し、個性化の設定を行うことができ、メッセージをプッシュする効率を更に向上し、便利的に使える。
【００８３】
一つの例示的な実施形態に基づいて、生成モジュール５０４が生成した前記ターゲットオーディオデータはメッセージの内容、プッシュの時間、プッシュソースのうちの１つ以上を含む。例えば、ターゲットオーディオデータは「メッセージの内容」のみを含む場合、あるショートメッセージ又はウイーチャットの内容を音声で再生することが可能である。ターゲットオーディオデータは「プッシュの時間」と「プッシュソース」の組合せを含む場合、ウイーチャットで１１時に新しいメッセージが新着することを音声で再生することが可能である。ユーザはターゲットオーディオデータの種類を予め設定することができ、例えば、メッセージの内容、プッシュの時間、プッシュソースのうちの１つ以上を含む。本実施形態はユーザのために多種の再生の選択肢を提供し、ユーザがメッセージの内容を直接に聞きたくない場合、プッシュの時間とプッシュのソースだけを聞くことができる。
【００８４】
一つの例示的な実施形態に基づいて、生成モジュール５０４が生成した前記ターゲットオーディオデータは各プッシュソース及びそれぞれ対応しているプッシュメッセージの数を含み、図５Ｃに示すように、生成モジュール５０４は、第三取得サブモジュール５０４３、統計サブモジュール５０４４、第二生成サブモジュール５０４５を備える。第三取得サブモジュール５０４３は、前記各未読プッシュメッセージが対応しているプッシュソースをそれぞれ取得するように構成され、統計サブモジュール５０４４は、各プッシュソースのプッシュメッセージの数をそれぞれ統計するように構成され、第二生成サブモジュール５０４５は、前記各プッシュソースのプッシュメッセージの数に基づいて、前記ターゲットオーディオデータを生成するように構成される。図５Ｃに示すように、ここで、ユーザはプッシュソースが対応しているプッシュメッセージの数を予め設定することができ、例えば、ウイーチャットアプリケーションが１０つのメッセージをプッシュし、ＱＱが５つのメッセージをプッシュする。ユーザが予め設定したことにより、各未読プッシュメッセージが対応しているプッシュソースをそれぞれ取得し、各プッシュソースのプッシュメッセージの数をそれぞれ統計し、各プッシュソースのプッシュメッセージの数に基づいて、ターゲットオーディオデータを生成することができる。例えば、ウイーチャットからの１２つの未読メッセージ又はウェイボーからの３つの未読メッセージなどを音声により再生する。本実施形態において、ユーザはプッシュしようとするメッセージの数を予め設定し、個性化の設定を行うことができ、メッセージをプッシュする効率を更に向上し、便利的に使える。
【００８５】
図６は一つの例示的な実施形態に基づいて示した端末ディバイスの示す図である。
【００８６】
図６に示すように、端末ディバイス６００は携帯電話、コンピュータ、デジタルラジオ端末、メッセージ送受信ディバイス、タブレットディバイス、パーソナルディジタルアシスタントなどであっていい。
【００８７】
端末ディバイス６００は、処理モジュール６０２、記憶装置６０４、電力モジュール６０６、マルチメディアモジュール６０８、オーディオモジュール６１０、入力／出力（Ｉ／Ｏ）インターフェース６１２、センサーモジュール６１４、通信モジュール６１６のうちの１つ又は複数のモジュールを含めていい。
【００８８】
プロセッサーモジュール６０２は通常に端末ディバイス６００の全体的な操作を制御し、例えば表示、電話のコール、データ通信、カメラ操作と記録操作に関する操作を制御する。プロセッサーモジュール６０２は１つ又は複数のプロセッサー６２０を含んで命令を実行させることで、上記の方法にかかる全部又は一部のステップを実現する。また、プロセッサーモジュール６０２は１つ又は複数の部品を含めてよく、プロセッサーモジュール６０２とほかのモジュールとの交互にしやすい。例えば、プロセッサーモジュール６０２はマルチメディア部品を含めてよく、マルチメディアモジュール６０８とプロセッサーモジュール６０２との交互にしやすい。
【００８９】
記憶装置６０４は各種の類型のデータを格納して端末ディバイス６００の操作をサポートするように構成される。これらのデータの例示は端末ディバイス６００で操作するためのいずれのアプリケーション又は方法の命令、連絡先のデータ、電話帳のデータ、メッセージ、写真、ビデオなどを含む。記憶装置６０４はいずれの揮発性又は不揮発性の記憶装置又はそれらの組合せによって実現される。例えば、スタティックランダムアクセスメモリ（ＳＲＡＭ）、電気消去可能なプログラム可能な読取専用メモリ（ＥＥＰＲＯＭ（登録商標））、消去可能なプログラム可能な読取専用メモリ（ＥＰＲＯＭ）、プログラム可能な読取専用メモリ（ＰＲＯＭ）、読取専用メモリ（ＲＯＭ）、磁気記憶装置、フラッシュメモリ、磁気ディスク、ディスクである。
【００９０】
電力モジュール６０６は端末ディバイス６００の各モジュールに電力を提供する。電力モジュール６０６は電源管理システム、１つ又は複数の電源、及び端末ディバイス６００のために電力を生成、管理及び分配する関連モジュールを含む。
【００９１】
マルチメディアモジュール６０８は、端末ディバイス６００とユーザの間の出力インターフェースを提供するディスプレーを含む。ある実施形態において、ディスプレーは液晶ディスプレー（ＬＣＤ）とタッチパネル（ＴＰ）を含めていい。ディスプレーはタッチパネルを含む場合、ディスプレーはタッチディスプレーであってよく、ユーザからの入力信号を受信する。タッチパネルは１つ又は複数のタッチセンサーを含んでタッチ、スライドとタッチパネル上のジェスチャを感知する。タッチセンサーは、タッチ又はスライドという動作のエッジを感知するだけではなく、タッチ又はスライドの操作に関する継続時間と圧力を感知することもできる。ある実施形態において、マルチメディアモジュール６０８は１つのフロントカメラ及び／又はバックカメラを含む。端末ディバイス６００が操作モードで、例えば写真モード又はビデオモードであるとき、フロントカメラ及び／又はバックカメラは外部からのマルチメディアデータを受信することができる。各フロントカメラとバックカメラは固定の光学レンズシステムである又は焦点距離及び光学ズームを有する。
【００９２】
オーディオモジュール６１０はオーディオ信号を入出力するように構成される。例えば、オーディオモジュール６１０は１つのマイク（ＭＩＣ）を備え、端末ディバイス６００が操作モードで、例えばコールモード、記録モードと音声認識モードであるとき、マイクが外部からのオーディオ信号を受信するように構成される。受信されたオーディオ信号は記憶装置６０４に更に格納される又は通信モジュール６１６を介して送信される。ある実施形態において、オーディオモジュール６１０は１つのスピーカーを備え、オーディオ信号を出力するように構成される。
【００９３】
入力／出力（Ｉ／Ｏ）インターフェース６１２は処理モジュール６０２と周辺インターフェースモジュールの間にインターフェースを提供し、上記周辺インターフェースモジュールはキーボード、クリックホイール、ボタンなどであっていい。これらのボタンはホームページボタン、音量ボタン、スタートボタンとロックボタンを含むが、これに限らない。
【００９４】
センサーモジュール６１４は１つ又は複数のセンサーを含み、端末ディバイス６００に様々な状態の評価を提供する。例えば、センサーモジュール６１４は端末ディバイス６００のオン／オフ状態、モジュールの対応的な位置決めを検知することができ、例えば、モジュールは端末ディバイス６００のディスプレーとミニキーボードであり、センサーモジュール６１４は端末ディバイス６００又は端末ディバイス６００の１つのモジュールの位置変更、ユーザと端末ディバイス６００との接触するかどうか、端末ディバイス６００の位置又は加速／減速及び端末ディバイス６００の温度変化を検出することができる。センサーモジュール６１４は接近センサーを含んでよく、物理的な接触がない場合に近くの物体の存在を検出するように構成される。センサーモジュール６１４は光センサーを含んでよく、例えばＣＭＯＳ又はＣＣＤ画像センサーであり、画像形成応用に用いるように構成される。ある実施形態において、該センサーモジュール６１４は加速度センサー、ジャイロセンサー、磁気センサー、圧力センサー又は温度センサーを含んでいい。
【００９５】
通信モジュール６１６は端末ディバイス６００とほかのディバイスとの間に有線又は無線通信を提供するように構成される。端末ディバイス６００は通信規格に基づく無線ネットワークにアクセスでき、例えばＷｉＦｉ、２Ｇ、３Ｇ又は４Ｇ又はそれらの組合である。ある例示的な実施携帯において、通信モジュール６１６はラジオチャネルを介して外部ラジオ管理システムからのラジオ信号又はラジオに関する情報を受信する。ある例示的な実施携帯において、通信モジュール６１６はニアフィールドコミュニケーション（ＮＦＣ）モジュールを含み、短距離通信を促進する。例えば、ＮＦＣモジュールは無線周波数（ＲＦＩＤ）技術、赤外線通信協会（ＩｒＤＡ）技術、超広帯域（ＵＷＢ）技術、ブルートゥース（登録商標）（ＢＴ）技術とほかの技術に基づいて実現される。
【００９６】
例示的な実施形態において、端末ディバイス６００は１つ又は複数の特定用途向け集積回路（ＡＳＩＣ）、デジタル信号処理器（ＤＳＰ）、デジタル信号処理ディバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサー又はほかの電子部品により実現され、上記の方法を実行するように構成される。
【００９７】
例示的な実施形態において、命令を含む非一時コンピュータ読取可能な記憶媒体を提供し、例えば、命令を含む記憶装置６０４であり、上記の命令が端末ディバイス６００のプロセッサー６２０によって実行され上記の方法を完成する。例えば、非一時コンピュータ読取可能な記憶媒体はＲＯＭ、ＣＤ−ＲＯＭ、磁気テープ、フロッピー（登録商標）ディスクと光データ記憶ディバイスなどである。
【００９８】
当業者は明細書を考慮した及び本願の発明を実践した後、本開示の実施形態にかかるほかの実施案が容易に想到できる。本願は本開示の実施形態にかかる変更、用途又は適応的な変更を含む旨とし、これらの変更、用途又は適応的な変更は本開示の実施形態の一般的な原理を従って、且つ本開示の実施形態が公開しない当分野の公知常識又は慣用技術手段を含む。明細書と実施形態は例示的なものであり、本開示の実施形態の保護範囲と旨は下記の請求項により示される。
【００９９】
本開示の実施形態は上記説明した且つ図面に示した精確の構造に限らなく、且つ本発明において開示された技術範囲で、変更または入れ替えがすべて本発明の保護範囲に含まれるべきであることを容易に考えることができる。本開示の実施形態の保護範囲は添付した請求項によって限定される。
【産業上の利用可能性】
【０１００】
本願実施形態のメッセージのプッシュ方法、装置及び端末ディバイスは、ユーザが予め設定した再生方式によって複数の異なるプッシュソースからの未読メッセージを取得し、全ての未読メッセージを一括して再生することができ、ユーザが各ソフトウェアをそれぞれ開いて未読メッセージを読むことが必要なく、容易、迅速に読み、効率がより高い。
【図１Ａ】
2018533088.tif 000003
【図１Ｂ】
2018533088.tif 000004
【図２】
2018533088.tif 000005
【図３】
2018533088.tif 000006
【図４】
2018533088.tif 000007
【図５Ａ】
2018533088.tif 000008
【図５Ｂ】
2018533088.tif 000009
【図５Ｃ】
2018533088.tif 000010
【図６】
2018533088.tif 000011
【国際調査報告】
2018533088.tif 000012
2018533088.tif 000013
2018533088.tif 000014
2018533088.tif 000015